(57)【特許請求の範囲】
【請求項１】
互いに並置された第一及び第二の縦枠並びにこの第一及び第二の縦枠を橋絡した横枠を有した枠体と、第一及び第二の縦枠及び横枠で規定された開口部に上下方向に互いに並置された複数の羽根と、複数の羽根のうちの上下方向において隣接された羽根を相互に接近離反自在に連結する連結機構と、開口部において昇降させられる羽根の枚数の増減に応じて増減すると共に開口部における羽根の荷重の方向と反対の方向をもった反力を発生する反力発生機構とを具備しており、複数の羽根において上下方向における最上位の羽根の降下及び上昇で又は最下位の羽根の上昇及び降下で開口部を開閉するようになっており、反力発生機構は、一端では第一の縦枠側において複数の羽根のうちの最上位又は最下位の羽根に連結されていると共に他端では第二の縦枠内において昇降自在になっており、且つ、横枠内を通って走行自在に配された可撓性の第一の長尺体と、一端では第二の縦枠側において複数の羽根のうちの最上位又は最下位の羽根に連結されていると共に他端では第一の縦枠内において昇降自在になっており、且つ、横枠内を通って走行自在に配された可撓性の第二の長尺体と、第一及び第二の長尺体の走行を案内する案内機構とを具備しており、最上位又は最下位の羽根の上昇は、少なくとも、その上昇で第一及び第二の縦枠の夫々において第一及び第二の長尺体の増加する部位の重量に基づいて反力発生機構で発生されると共に増大する反力によって行われるようになっている開口部開閉装置。
【請求項２】
第一の長尺体は、可撓性の第一の長尺体本体と、この第一の長尺体本体の第二の縦枠内において昇降する部位に取付けられた第一の重錘列とを具備しており、第二の長尺体は、可撓性の第二の長尺体本体と、この第二の長尺体本体の第一の縦枠内において昇降する部位に取付けられた第二の重錘列とを具備している請求項1に記載の開口部開閉装置。
【請求項３】
第一及び第二の長尺体本体の夫々は、チエーン又はノーバックチエーンを具備している請求項２に記載の開口部開閉装置。
【請求項４】
第一及び第二の重錘列の夫々は、チエーン又はノーバックチエーンに回転自在に取付けられた複数の重錘を具備している請求項３に記載の開口部開閉装置。
【請求項５】
案内機構は、第一の長尺体の第一の縦枠及び横枠間の相互の走行を案内する第一の転向回転体と、第一の長尺体の第二の縦枠及び横枠間の相互の走行を案内する第二の転向回転体とを具備している請求項１から４のいずれか一項に記載の開口部開閉装置。
【請求項６】
第一及び第二の転向回転体の夫々は、スプロケットホイールからなる請求項５に記載の開口部開閉装置。
【請求項７】
案内機構は、第二の長尺体の第一の縦枠及び横枠間の相互の走行を案内する第三の転向回転体と、第二の長尺体の第二の縦枠及び横枠間の相互の走行を案内する第四の転向回転体とを具備している請求項１から６のいずれか一項に記載の開口部開閉装置。
【請求項８】
第三及び第四の転向回転体の夫々は、スプロケットホイールからなる請求項７に記載の開口部開閉装置。
【請求項９】
最上位の羽根の降下及び上昇又は最下位の羽根の上昇及び降下で複数の羽根による開口部の開閉を行わせるべく、第一及び第二の長尺体を走行させる走行機構を更に具備している請求項1から８のいずれか一項に記載の開口部開閉装置。
【請求項１０】
走行機構は、第一及び第二の長尺体に係合する係合回転体を具備している請求項９に記載の開口部開閉装置。
【請求項１１】
係合回転体は、スプロケットホイールからなる請求項１０に記載の開口部開閉装置。
【請求項１２】
最上位の羽根は、第一及び第二の縦枠に固定されており、複数の羽根のうちの最上位の羽根を除く残る羽根は、昇降自在となっており、最下位の羽根は、第一及び第二の長尺体の一端に連結されていると共に昇降自在である開口部開閉装置であって、開口部における最下位の羽根を先行して上昇させて開口部を開口する一方、当該最下位の羽根を先行して下降させて開口部を閉鎖するようになっている請求項１から１１のいずれか一項に記載の開口部開閉装置。
【請求項１３】
複数の羽根は、昇降自在となっており、最上位の羽根は、第一及び第二の長尺体の一端に連結されていると共に昇降自在である開口部開閉装置であって、開口部における最上位の羽根を先行して下降させて開口部を開口する一方、当該最上位の羽根を先行して上昇させて開口部を閉鎖するようになっている請求項１から１１のいずれか一項に記載の開口部開閉装置。
【請求項１４】
最下位の羽根は、第一及び第二の縦枠に固定されており、複数の羽根のうちの最下位の羽根を除く残る羽根は、昇降自在となっており、最上位の羽根は、第一及び第二の長尺体の一端に連結されていると共に昇降自在である開口部開閉装置であって、開口部における最上位の羽根を先行して下降させて開口部を開口する一方、当該最上位の羽根を先行して上昇させて開口部を閉鎖するようになっている請求項１から１１のいずれか一項に記載の開口部開閉装置。
【請求項１５】
複数の羽根を傾動させる傾動機構を更に具備している請求項１から１４のいずれか一項に記載の開口部開閉装置。
【請求項１６】
開口部開閉装置は、ブラインド装置又はシャッタである請求項１から１５のいずれか一項に記載の開口部開閉装置。
【発明の詳細な説明】
【技術分野】
【０００１】
本発明は、建物の窓又は入口等の開口部に配されて、当該開口部を開閉するために用いられるブラインド装置又はシャッター装置等の開口部開閉装置に関する。
【背景技術】
【０００２】
例えば、ブラインド装置は、特許文献１に記載のように、窓等の建物の開口部に配される枠体と、この枠体に囲まれた開口部に互いに並置された複数の羽根と、この複数の羽根のうちの最上位の羽根を吊り下げる吊り下げ機構と、複数の羽根を相互に連結すると共に折り畳み自在なリンク機構と、複数の羽根のうちの最下位の羽根から上昇させると共に当該最下位の羽根を下降させて、複数の羽根を昇降させる昇降機構とを具備している。
【先行技術文献】
【特許文献】
【０００３】
【特許文献１】再表２０１１／０９９０７８号公報
【特許文献２】特開２０１１−１３２８０６号公報
【発明の概要】
【発明が解決しようとする課題】
【０００４】
ところで、斯かるブラインド装置において、開口部の開閉における複数の羽根の昇降は、電動モータで自動的に行われるが、電動モータに代えて、回転軸にプーリを固着し、このプーリに紐又は玉チェーンを捲き掛け、羽根の昇降を紐又は玉チェーンの手動走行で、複数の羽根で閉鎖された開口部を最下位の羽根から先行して上昇させて当該開口部を開口するように構成した場合又は開口された開口部を最上位の羽根から先行して上昇させて開口部を閉鎖するように構成した場合のいずれの場合にも、開口度又は閉鎖度が増すに従って上昇させる羽根の枚数が増加するため、増加する羽根の枚数に従って徐々に大きな上昇力を最下位又は最上位の羽根に加える必要がある結果、紐又は玉チェーンの手動走行を行う操作者は、それに応じた手動走行力を紐又は玉チェーンに加えることになり、操作のし難さ等を感じることになり、また、操作者による紐又は玉チェーンの特定の手動操作で、複数の羽根による開口部の特定の開閉動作、例えば、操作者による紐又は玉チェーンの瞬時的な手動操作で、複数の羽根による開口部の自動開閉動作を行わせ難い。
【０００５】
斯かる問題は、ブラインド装置に限らないのであって、紐若しくは玉チェーンを使用するシャッター装置において、紐若しくは玉チェーンを使用しないで、又は、紐若しくは玉チェーンを使用しないシャッター装置において、手動で最下位の羽根を昇降させ、開口部の開閉を行うようにしたシャッター装置においても生じ得る。
【０００６】
本発明は、前記諸点に鑑みてなされたものであって、その目的とするところは、操作者による手動操作のし難さを解消できる構成とし得る上に、また、操作者による特定の手動操作で、複数の羽根による開口部に対する特定の開閉動作を行わせることができる構成にもし得る開口部開閉装置を提供することにある。
【課題を解決するための手段】
【０００７】
本発明の開口部開閉装置は、互いに並置された第一及び第二の縦枠並びにこの第一及び第二の縦枠を橋絡した横枠を有した枠体と、第一及び第二の縦枠及び横枠で規定された開口部に上下方向に互いに並置された複数の羽根と、複数の羽根のうちの上下方向において隣接された羽根を相互に接近離反自在に連結する連結機構と、開口部において昇降させられる羽根の枚数の増減に応じて増減すると共に開口部における羽根の荷重の方向と反対の方向をもった反力を発生する反力発生機構とを具備しており、複数の羽根において上下方向における最上位の羽根の降下及び上昇で又は最下位の羽根の上昇及び降下で開口部を開閉するようになっており、反力発生機構は、一端では第一の縦枠側において複数の羽根のうちの最上位又は最下位の羽根に連結されていると共に他端では第二の縦枠内において昇降自在になっており、且つ、横枠内を通って走行自在に配された可撓性の第一の長尺体と、一端では第二の縦枠側において複数の羽根のうちの最上位又は最下位の羽根に連結されていると共に他端では第一の縦枠内において昇降自在になっており、且つ、横枠内を通って走行自在に配された可撓性の第二の長尺体と、第一及び第二の長尺体の走行を案内する案内機構とを具備しており、最上位又は最下位の羽根の上昇は、少なくとも、その上昇で第一及び第二の縦枠の夫々において第一及び第二の長尺体の増加する部位の重量に基づいて反力発生機構で発生されると共に増大する反力によって行われるようになっている。
【０００８】
本発明の開口部開閉装置によれば、反力発生機構を具備し、しかも、最上位又は最下位の羽根の上昇は、その上昇で第一及び第二の縦枠の夫々において第一及び第二の長尺体の増加する部位の重量に基づいて反力発生機構で発生されると共に増大する反力によって行われるようになっているために、当該反力によって操作者による手動操作のし難さを解消できる上に、反力の増加率を所望に設定することにより、操作者による特定の手動操作で、複数の羽根による開口部に対する特定の開閉動作を行わせることができる。
【０００９】
例えば、複数の羽根で閉鎖された開口部を最下位の羽根から先行して上昇させて最下位の羽根に上位の羽根を次々に重ね合せて持上げ、これにより、当該開口部を開口するように構成した場合又は開口された開口部を最上位の羽根から先行して上昇させて最上位の羽根で下位の羽根を次々に吊り上げて持上げ、これにより、開口部を閉鎖するように構成した場合のいずれの場合にも、斯かる反力発生機構で発生される反力の増加率を、上昇させる羽根及びこの上昇させる羽根に付随して上昇させられる部材の重量の増加率に等しくするように構成することにより、開口部の開閉において上昇させる羽根の枚数が増大しても、操作者の手動操作力を大きくしないで略一定の手動操作力で開口部の開閉を行い得、操作者による手動操作のし難さを解消できることになり、また、反力発生機構で発生される反力の増加率を、上昇させる羽根及びこの上昇させる羽根に付随して上昇させられる部材の重量の増加率よりも大きくするように構成することにより、複数の羽根で閉鎖された開口部を最下位の羽根から先行して上昇させて最下位の羽根に上位の羽根を次々に重ね合わせて持上げ、これにより、当該開口部を開口するように構成した場合には、開口部の閉鎖状態において開口部を開口すべく外部から瞬時的な操作力を最下位の羽根に付与した際には、羽根を最下位の羽根から自動的に次々と上昇させられることになり、一方、開口された開口部を最上位の羽根から先行して上昇させて最上位の羽根で下位の羽根を次々に吊り上げて持上げ、これにより、開口部を閉鎖するように構成した場合には、開口部の開口状態において開口部を閉鎖すべく外部から瞬時的な操作力を最上位の羽根に付与した際には、羽根を最上位の羽根から自動的に次々と上昇させられることになり、いずれにしても、手動操作にも拘わらず、開口部の開閉を自動的に行わせることができるようになり、而して、操作者による特定の手動操作で、複数の羽根による開口部に対する特定の開閉動作を行わせることができる。
【００１０】
本発明の好ましい例では、第一の長尺体は、可撓性の第一の長尺体本体と、この第一の長尺体本体の第二の縦枠内において昇降する部位に取付けられた第一の重錘列とを具備しており、第二の長尺体は、可撓性の第二の長尺体本体と、この第二の長尺体本体の第一の縦枠内において昇降する部位に取付けられた第二の重錘列とを具備しており、この場合、第一及び第二の長尺体本体の夫々は、チエーン又はノーバックチエーンを具備していてもよく、また、第一及び第二の重錘列の夫々は、チエーン又はノーバックチエーンに回転自在に取付けられた複数の重錘を具備していてもよく、斯かる複数の重錘は、互いに同一の質量を有していてもよいが、互いに異なる質量を有していてもよく、互いに異なる質量を有している複数の重錘を用いる場合には、互いに連結された複数の重錘からなる重錘列において、第一及び第二の長尺体の夫々において、他端側から一端側にかけて質量が順次増大するように重錘を配列していてもよい。
【００１１】
案内機構は、第一の長尺体の第一の縦枠及び横枠間の相互の走行を案内する第一の転向回転体と、第一の長尺体の第二の縦枠及び横枠間の相互の走行を案内する第二の転向回転体とを具備していてもよく、また、第二の長尺体の第一の縦枠及び横枠間の相互の走行を案内する第三の転向回転体と、第二の長尺体の第二の縦枠及び横枠間の相互の走行を案内する第四の転向回転体とを具備していてもよく、この場合、第一及び第二の転向回転体並びに第三及び第四の転向回転体は、第一及び第二の長尺体がベルト、ワイヤー等の場合には、単なる滑車（プーリー）でもよいが、第一及び第二の長尺体がチエーン又はノーバックチエーン等のチエーン又は歯付ベルト（タイミングベルト）等の場合には、スプロケットホイール又は歯付滑車でもよい。
【００１２】
本発明では、最上位の羽根の降下及び上昇又は最下位の羽根の上昇及び降下で複数の羽根による開口部の開閉を行わせるべく、第一及び第二の長尺体を走行させる走行機構を更に具備していてもよく、斯かる走行機構は、第一及び第二の長尺体を同期して走行させるべく、第一及び第二の長尺体に係合する係合回転体を具備しているとよく、この場合、係合回転体は、第一及び第二の長尺体がチエーン又はノーバックチエーン等のチエーン又は歯付ベルト（タイミングベルト）等の場合には、スプロケットホイール又は歯付滑車からなっているとよい。
【００１３】
本発明の開口部開閉装置では、最上位の羽根は、第一及び第二の縦枠に固定されており、複数の羽根のうちの最上位の羽根を除く残る羽根は、昇降自在となっており、最下位の羽根は、第一及び第二の長尺体の一端に連結されていると共に昇降自在であってもよく、斯かる例の開口部開閉装置は、開口部における最下位の羽根を先行して上昇させて開口部を開口する一方、当該最下位の羽根を先行して下降させて開口部を閉鎖するようになっていてもよく、また、これらに代えて、本発明の開口部開閉装置では、最上位の羽根は、第一及び第二の長尺体の一端に連結されていると共に昇降自在であってもよく、斯かる例の開口部開閉装置は、開口部における最上位の羽根を先行して下降させて開口部を開口する一方、当該最上位の羽根を先行して上昇させて開口部を閉鎖するようになっていてもよく、この場合、複数の羽根は、昇降自在となっていてもよいが、これに代えて、最下位の羽根は、第一及び第二の縦枠に固定されており、複数の羽根のうちの最下位の羽根を除く残る羽根は、昇降自在となっていてもよい。
【００１４】
本発明の開口部開閉装置は、複数の羽根を傾動させる傾動機構を更に具備していてもよく、斯かる傾動機構を具備していると、複数の羽根を傾動させて、複数の羽根による開口部の完全閉鎖、即ち、複数の羽根の夫々の間に隙間を生じさせない開口部の閉鎖と、すだれ状の閉鎖、即ち、複数の羽根の夫々の間に隙間を生じさせた開口部の閉鎖とを選択的に行い得る。
【００１５】
本発明の開口部開閉装置は、シャッター装置又はブラインド装置であり、シャッター装置の場合は、建物の入口等に配され、ブラインド装置の場合には、建物の窓等に配されるとよい。
【発明の効果】
【００１６】
本発明によれば、操作者による手動操作のし難さを解消できる構成とし得る上に、また、操作者による特定の手動操作で、複数の羽根による開口部の特定の開閉動作を行わせることができる構成にもし得る開口部開閉装置を提供し得る。
【図面の簡単な説明】
【００１７】
【図１】図１は、本発明の好ましい実施の形態の例の斜視説明図である。
【図２】図２は、図１に示す例の一方の縦枠側の平面断面説明図である。
【図３】図３は、図１に示す例の一方の縦枠側の側面断面説明図である。
【図４】図４は、図１に示す例の一方の縦枠側の正面断面説明図である。
【図５】図５は、図１に示す例の他方の縦枠側の平面断面説明図である。
【図６】図６は、図１に示す例の他方の縦枠側の側面断面説明図である。
【図７】図７は、図１に示す例の他方の縦枠側の正面断面説明図である。
【図８】図８は、図１に示す例の動作説明図である。
【図９】図９は、図１に示す例の動作説明図である。
【図１０】図１０は、図１に示す例の動作説明図である。
【図１１】図１１は、図１に示す例の動作説明図である。
【発明を実施するための形態】
【００１８】
次に本発明の実施の形態を、図に示す好ましい実施例に基づいて更に詳細に説明する。なお、本発明はこれら実施例に何等限定されないのである。
【実施例】
【００１９】
図１から図７において、本例の開口部開閉装置としてのブラインド装置１は、建物の窓等に配されると共に互いに並置された中空の縦枠２及び３、縦枠２及び３を橋絡した横枠としての中空の上枠４、上枠４と同様に縦枠２及び３を橋絡した中空の下枠５並びに縦枠２及び３及び上枠４の上部開口を閉鎖した蓋板６を有した枠体７と、縦枠２及び３並びに上枠４及び下枠５で規定された開口部８に上下方向Ｖに互いに並置されていると共に開口部８における昇降により開口部８を開閉する複数の羽根９と、複数の羽根９のうちの上下方向Ｖにおいて隣接された羽根９を相互に接近離反自在に連結する連結機構としてのリンク機構１０と、開口部８において昇降させられる羽根９の枚数の増減に応じて増減すると共に開口部８における羽根９の荷重（羽根９に加わる重力）Ｇの方向（下方向：重力方向）Ｖ１と反対の方向（上方向）Ｖ２をもった反力Ｆを発生する反力発生機構１１と、複数の羽根９のうちの上下方向Ｖにおいて最下位の羽根９の昇降で複数の羽根９による開口部８の開閉を行わせるべく、反力発生機構１１の可撓性の長尺体１２及び１３を走行させる走行機構１４と、複数の羽根９を傾動させる傾動機構１５とを具備しており、最下位の羽根９の昇降で最上位の羽根９及び最下位の羽根９間の羽根９を昇降させて開口部８を開閉するようになっている。
【００２０】
縦枠２及び３の夫々は、中空部２０を規定する外側側壁部２１、外側側壁部２１に対面して配された内側側壁部２２並びに外側側壁部２１及び内側側壁部２２を橋絡すると共に互いに対面して配された前壁部２３及び後壁部２４を有して一体形成されており、外側側壁部２１は、側壁板部２５と、上下方向Ｖに伸びて側壁板部２５に一体形成されていると共に後壁部２４と協働して案内通路２６を規定する案内壁部２７と、上下方向Ｖに伸びて側壁板部２５に一体形成されていると共に互いに協働して案内通路２８を規定する一対の案内壁部２９とを具備しており、内側側壁部２２は、上下方向Ｖに伸びたスリット３０並びに長尺体１２及び１３を通過させる開口３１を有している側壁板部３２と、上下方向Ｖに伸びて側壁板部３２に一体形成されていると共に後壁部２４と協働して案内通路３３を規定する案内壁部３４とを具備しており、後壁部２４は、後壁板部３５と、後壁板部３５に一体形成された円弧状の案内壁部３６及び３７とを具備しており、案内通路２６及び案内壁部２７は、上下方向Ｖに直交する水平方向（横方向）Ｈにおいて案内通路３３及び案内壁部３４に対峙している。
【００２１】
上枠４は、水平方向Ｈの両端で縦枠２及び３の夫々の中空部２０に夫々の開口３１を介して連通した中空部４０を規定する後壁部４１、後壁部４１に対面した前壁部４２、後壁部４１及び前壁部４２を橋絡した底壁部４３を有して一体形成されており、後壁部４１は、後壁板部４４と、水平方向Ｈに伸びて後壁板部４４に一体形成されていると共に互いに協働して案内通路４５を規定する一対の案内壁部４６と、水平方向Ｈに伸びて後壁板部４４に一体形成されていると共に底壁部４３と協働して案内通路４７を規定する案内壁部４８とを具備しており、一対の案内壁部４６の一方は、その一端で縦枠３の後壁部２４の案内壁部３６の一端に連接しており、案内壁部４８は、その一端で縦枠２の後壁部２４の案内壁部３７の一端に連接している。
【００２２】
羽根９の夫々は、水平方向Ｈにおいて伸びて長尺であって円弧凸表面及び円弧凹裏面を有した円弧板部５０、円弧板部５０の前縁及び後縁に一体的に形成された半円筒部５１及び５２並びに円弧板部５０の円弧凹裏面に一体的に形成された一対の爪部５３を具備した羽根本体５４と、円弧板部５０の長手方向における夫々の端部５５をリンク機構１０に取付ける取付具５６とを具備しており、各取付具５６は、対応の円弧板部５０の端部５５に爪部５３を介して嵌合固定された取付板部５７と、一端で取付板部５７に固着されていると共にスリット３０を通った軸部材５８と、軸部材５８が回転自在に貫通していると共にスリット３０において側壁板部３２に嵌合された嵌合部材５９とを具備しており、嵌合部材５９のうちで最上位の縦長の嵌合部材５９は、上下方向Ｖに移動しないように、スリット３０において側壁板部３２に嵌合固定されている一方、最上位の嵌合部材５９を除く他の嵌合部材５９は、上下方向Ｖに移動自在となるように、スリット３０において側壁板部３２に上下方向Ｖに滑り移動自在に嵌合されており、而して、最上位の羽根９は、側壁板部３２に嵌合固定された嵌合部材５９に軸部材５８を介して吊下げられて縦枠２及び３に傾動自在（軸部材５８を中心として方向Ｒに回転自在）に固定されており、複数の羽根９のうちの最上位の羽根９を除く残る羽根９は、軸部材５８を中心として方向Ｒに回転自在であって上下方向Ｖに昇降自在となっている。
【００２３】
縦枠２及び３の夫々の中空部２０に配されたリンク機構１０は、軸部材７０を介して互いに軸部材７０を中心として方向ｒに回転自在に連結されて折り畳み自在となっている複数の前縁リンク部材７１の列と、軸部材７２を介して互いに軸部材７２を中心として方向ｒに回転自在に連結されて折り畳み自在となっている複数の後縁リンク部材７３の列と、最上位及び最下位の前縁リンク部材７１及び後縁リンク部材７３並びにそれらに続く一つ置きの前縁リンク部材７１及び後縁リンク部材７３に夫々軸部材７０及び７２を介して軸部材７０及び７２を中心として方向ｒに回転自在に連結されていると共に略中央部に軸部材５８の他端が固着された横部材７４の列と、軸部材７０及び７２を介して相互に回転自在に連結された複数の前縁リンク部材７１及び後縁リンク部材７３の夫々の折り畳み方向を決定すべく、一つ置きの前縁リンク部材７１及び後縁リンク部材７３の夫々に一体的に形成された折り曲げ部７５とを具備している。
【００２４】
前縁リンク部材７１及び後縁リンク部材７３は、最下位の横部材７４の上昇においては、各横部材７４での軸部材７０及び７２を除いて対応の軸部材７０及び７２が互いに接近するように折り曲げ部７５に規制されて折り畳まれるようになっており、折り畳まれた前縁リンク部材７１と後縁リンク部材７３とは、水平方向Ｈにおいて互いに離間して重なるようになっている一方、最下位の横部材７４の降下においては、各横部材７４での軸部材７０及び７２を除いて対応の軸部材７０及び７２が互いに離反して、前縁リンク部材７１と後縁リンク部材７３とは、上下方向Ｖに伸びるようになっており、而して、リンク機構１０の夫々は、複数の羽根９のうちの上下方向Ｖにおいて隣接された羽根９を相互に上下方向Ｖにおいて接近離反自在に連結している。
【００２５】
反力発生機構１１は、一端８０では縦枠２側において複数の羽根９のうちの最下位の羽根９に連結機構８１を介して連結されていると共に他端８２では縦枠３内、即ち、縦枠３の中空部２０において上下方向Ｖに昇降自在になっており、且つ、上枠４内、即ち、上枠４の中空部４０を通って上下方向Ｖ及び水平方向Ｈに走行自在、即ち、方向Ａと方向Ａに対して逆の方向Ｂに走行自在に配された長尺体１２と、一端８３では縦枠３側において複数の羽根９のうちの最下位の羽根９に連結機構８４を介して連結されていると共に他端８５では縦枠２内、即ち、縦枠２の中空部２０において上下方向Ｖに昇降自在になっており、且つ、上枠４内、即ち、上枠４の中空部４０を通って上下方向Ｖ及び水平方向Ｈに走行自在、即ち、方向Ｃと方向Ｃに対して逆の方向Ｄとに走行自在に配された長尺体１３と、長尺体１２及び１３の上下方向Ｖ及び水平方向Ｈの走行、即ち、長尺体１２の方向Ａ及びＢの走行及び長尺体１３の方向Ｃ及びＤの走行の夫々を案内する案内機構８６及び８７とを具備している。
【００２６】
長尺体１２は、一方向のみに撓み（曲がり）得るノーバックチエーン９１を具備した長尺体本体９２と、ノーバックチエーン９１の縦枠３の中空部２０において昇降するノーバックチエーン９１の他端でもある他端８２を含む部位に取付けられた重錘列９３とを、長尺体１３は、ノーバックチエーン９１と同様に一方向のみに撓み（曲がり）得るノーバックチエーン９４を具備した長尺体本体９５と、ノーバックチエーン９４の縦枠２の中空部２０において昇降するノーバックチエーン９４の他端でもある他端８５を含む部位に取付けられた重錘列９６とを夫々具備しており、重錘列９３及び９６の夫々は、ノーバックチエーン９１及び９４の夫々のピンの両端に夫々回転自在に取付けられていると共に夫々質量の大きい金属からなるローラ等の複数の重錘９７を具備しており、ノーバックチエーン９１の走行に伴う重錘列９３の走行は、上枠４の中空部４０では、一対の案内壁部４６のうちの下方の案内壁部４６への重錘９７の回転接触を伴う一対の案内壁部４６による上下方向Ｖの変動規制をもって案内されて行われ、縦枠３の中空部２０では、縦枠３における後壁部２４と案内壁部２７及び３４とによる前後方向の変動規制をもって案内されて行われ、ノーバックチエーン９４の走行に伴う重錘列９６の走行は、上枠４の中空部４０では、底壁部４３への重錘９７の回転接触を伴う底壁部４３と案内壁部４８とによる上下方向Ｖの変動規制をもって案内されて行われ、縦枠２の中空部２０では、縦枠２における後壁部２４と案内壁部２７及び３４とによる前後方向の変動規制をもって案内されて行われる。
【００２７】
連結機構８１は、一方では、ノーバックチエーン９１の一端でもある一端８０に回転自在に連結されており、他方では、最下位の羽根９の縦枠２側における取付具５６の軸部材５８の他端に回転自在に連結された連結板１００と、連結板１００に回転自在に取付けられていると共に縦枠２の案内通路２８に上下方向Ｖに離間して配された一対のローラ１０１とを具備しており、連結機構８１と同様の連結機構８４は、一方では、ノーバックチエーン９４の一端でもある一端８３に回転自在に連結されており、他方では、最下位の羽根９の縦枠３側における取付具５６の軸部材５８の他端に回転自在に連結された連結板１０２と、連結板１０２に回転自在に取付けられていると共に縦枠３の案内通路２８に上下方向Ｖに離間して配された一対のローラ１０３とを具備しており、而して、最下位の羽根９は、連結機構８１及び８４を介してノーバックチエーン９１及び９４の一端８０及び８３、即ち、長尺体１２及び１３の一端８０及び８３に連結されている。
【００２８】
案内機構８６は、長尺体１２の縦枠２及び上枠４間の上下方向Ｖ及び水平方向Ｈの相互の走行を案内する転向回転体としてのスプロケットホイール１１１と、長尺体１２の縦枠３及び上枠４間の上下方向Ｖ及び水平方向Ｈの相互の走行を案内する転向回転体としてのスプロケットホイール１１２とを具備しており、ノーバックチエーン９１に噛合うスプロケットホイール１１１は、縦枠２の後壁部２４に軸部材１１３を介して回転自在に取付けられており、同じくノーバックチエーン９１に噛合うと共にスプロケットホイール１１１よりも大径のスプロケットホイール１１２は、縦枠３の後壁部２４に軸部材１１４を介して回転自在に取付けられており、スプロケットホイール１１１へのノーバックチエーン９１の噛合いは、スプロケットホイール１１１と協働してノーバックチエーン９１の上下方向Ｖ及び水平方向Ｈの相互の走行を案内する縦枠２の案内壁部３６で確保されるようになっており、スプロケットホイール１１２へのノーバックチエーン９１の噛合いは、スプロケットホイール１１２と協働してノーバックチエーン９１の上下方向Ｖ及び水平方向Ｈの相互の走行を重錘列９３に対しての案内を介して案内する縦枠３の案内壁部３６で確保されるようになっている。
【００２９】
案内機構８７は、長尺体１３の縦枠２及び上枠４間の上下方向Ｖ及び水平方向Ｈの相互の走行を案内する転向回転体としてのスプロケットホイール１２１と、長尺体１３の縦枠３及び上枠４間の上下方向Ｖ及び水平方向Ｈの相互の走行を案内する転向回転体としてのスプロケットホイール１２２とを具備しており、ノーバックチエーン９４に噛合うスプロケットホイール１２１は、縦枠２の後壁部２４に軸部材１２３を介して回転自在に取付けられており、同じくノーバックチエーン９４に噛合うと共にスプロケットホイール１２１よりも小径のスプロケットホイール１２２は、縦枠３の後壁部２４に軸部材１２４を介して回転自在に取付けられており、スプロケットホイール１２１へのノーバックチエーン９４の噛合いは、スプロケットホイール１２１と協働してノーバックチエーン９４の上下方向Ｖ及び水平方向Ｈの相互の走行を重錘列９６に対しての案内を介して案内する縦枠２の案内壁部３７で確保されるようになっており、スプロケットホイール１２２へのノーバックチエーン９４の噛合いは、スプロケットホイール１２２と協働してノーバックチエーン９４の上下方向Ｖ及び水平方向Ｈの相互の走行を案内する縦枠３の案内壁部３７で確保されるようになっている。
【００３０】
走行機構１４は、上枠４の後壁部４１及び前壁部４２に回転自在に支持された軸部材１３１と、軸部材１３１に固着された玉チェーン用のホイール１３２と、ホイール１３２に捲き掛けられていると共に建物の室内側に垂れ下がって手動で走行させることができる無端の玉チェーン１３３と、軸部材１３１に固着されていると共に長尺体１２及び１３のノーバックチエーン９１及び９４の夫々に噛合って係合する係合回転体としてのスプロケットホイール１３４と、玉チェーン１３３に対する手動操作で当該玉チェーン１３３の走行を一時的に禁止する図示しない公知のラチェット機構とを具備しており、玉チェーン１３３に対する手動操作で、ホイール１３２を介してスプロケットホイール１３４が回転されると、ノーバックチエーン９１及び９４を同期して方向Ａ及びＣ又は方向Ｂ及びＤに走行させるようになっている。
【００３１】
傾動機構１５は、上枠４の前壁部４２に取付けられた支持部材１４１と、支持部材１４１の一対の鍔部１４２を上下方向Ｖに移動自在に貫通して支持部材１４１に支持された操作棒１４３と、操作棒１４３の上端に取付けられていると共にスリット１４４を有した係合部材１４５と、係合部材１４５のスリット１４４を貫通していると共に最上位の羽根９における半円筒部５２内に挿入されて当該半円筒部５２に固定された丸棒１４６と、操作棒１４３の下端に取付けられた操作ノブ１４７と、上下方向Ｖにおける適宜の位置で操作棒１４３を解除自在に係止させる係止機構１４８と、操作棒１４３の上下方向Ｖにおける昇降において一対の鍔部１４２の夫々に接触して操作棒１４３の上下方向Ｖの昇降自在範囲を限定するように、操作棒１４３に取付けられた停止板１４９及び１５０とを具備しており、係止機構１４８は、操作棒１４３に上下方向Ｖに一列に配列されて設けられた複数の円弧突起１５１と、支持部材１４１に設けられていると共に支持部材１４１の上下方向Ｖの移動で円弧突起１５１間の凹所のいずれか一つに弾性的に係合する板ばね１５２とを具備している。
【００３２】
以上のブラインド装置１では、図１、図３、図６及び図８に示すように複数の羽根９が開口部８を閉鎖するように開口部８の全体に亘って配され且つ各羽根本体５４が略水平方向Ｈに向くように傾動された状態において、玉チェーン１３３の一方の方向の走行に対する手動操作がなされて、ホイール１３２及び軸部材１３１を介してスプロケットホイール１３４が回転され、この回転によりノーバックチエーン９１が方向Ａに、ノーバックチエーン９４が方向Ｃに夫々走行されると、ノーバックチエーン９１及び９４の方向Ａ及びＣのスプロケットホイール１１１及び１１２並びに１２１及び１２２の回転を伴う走行と共にノーバックチエーン９１及び９４の一端８０及び８３に連結されている連結板１００及び１０２も案内通路２８での一対のローラ１０１及び１０３の案内移動に補助されて上昇され、この上昇で連結板１００及び１０２に連結された最下位の羽根９も、当該最下位の羽根９と最下位の羽根９に上方で隣接する羽根９との間の前縁リンク部材７１と後縁リンク部材７３との折り畳みを伴って上昇され、最下位の羽根９の上昇での当該最下位の羽根９の嵌合部材５９の最下位の羽根９に上方で隣接する羽根９の嵌合部材５９への衝突により最下位の羽根９に上方で隣接する羽根９も上下方向Ｖにおいて上昇され、以下、玉チェーン１３３の一方の方向の更なる手動走行で、最下位の羽根９に上方で隣接する羽根９よりも上方に位置する羽根９も同様にして次々に上下方向Ｖにおいて上昇されて、上昇される羽根９の枚数（個数）が増加する一方、ノーバックチエーン９１及び９４の他端８２及び８５の夫々は、縦枠３の中空部２０及び縦枠２の中空部２０の夫々において下降され、この下降で他端８２及び８５並びに他端８２及び８５に続くノーバックチエーン９１及び９４に取付けられている重錘列９３及び９６の夫々の重錘９７も縦枠３の中空部２０及び縦枠２の中空部２０の夫々において下降されると共にこの下降と伴に上枠４の中空部４０の重錘列９３及び９６の夫々の重錘９７も縦枠３の中空部２０及び縦枠２の中空部２０に引き出され、縦枠３の中空部２０及び縦枠２の中空部２０の夫々に垂れ下がって位置する重錘９７の個数が増加し、ノーバックチエーン９１及び９４の他端８２及び８５側での中空部２０での重錘９７の個数の増加に伴ってノーバックチエーン９１及び９４の一端８０及び８３には、増加した重錘９７の重量に応じた方向Ｖ２をもった増大する反力Ｆが生じ、反力Ｆの増大と共にスプロケットホイール１３４の更なる回転で最上位の羽根９を除く複数の羽根９の全体が上昇されることにより、図９及び図１０に示すように開口部８が開放され、斯かる開口部８の開放状態の維持は、玉チェーン１３３の走行をラチェット機構で禁止させることにより行い得る。
【００３３】
而して、ブラインド装置１では、最下位の羽根９の開口部８での上昇は、スプロケットホイール１３４の回転に基づく手動操作力に加えて、その上昇で縦枠２及び３の中空部２０の夫々において長尺体１２及び１３の部位の重量に基づいて、具体的には、ノーバックチエーン９１及び９４の増加する部位の重量と個数が増加する重錘９７の重量との合計重量に基づいて反力発生機構１１で発生される増大する反力Ｆのノーバックチエーン９１及び９４の一端８０及び８３への付加によって行われるようになっている結果、開口部８の閉鎖から開放における玉チェーン１３３への手動操作力を、上昇させる羽根９の枚数（個数）の増加に応じて大きくする必要がなく、従って、ブラインド装置１によれば、反力発生機構１１で発生される増大する反力Ｆによって開口部８の閉鎖から開放における操作者による手動操作のし難さを解消できる。
【００３４】
また、ブラインド装置１では、図９及び図１０に示すように複数の羽根９が開口部８を開放するように開口部８の上方に配された状態において、玉チェーン１３３の走行のラチェット機構による解除と共に玉チェーン１３３の他方の方向の走行に対する手動操作がなされて、ホイール１３２及び軸部材１３１を介してスプロケットホイール１３４が回転され、この回転によりノーバックチエーン９１が方向Ｂに、ノーバックチエーン９４が方向Ｄに夫々走行されると、ノーバックチエーン９１及び９４の方向Ｂ及びＤのスプロケットホイール１１１及び１１２並びに１２１及び１２２の回転を伴う走行と共にノーバックチエーン９１及び９４の一端８０及び８３に連結されている連結板１００及び１０２も案内通路２８での一対のローラ１０１及び１０３の案内移動に補助されて下降され、この下降で連結板１００及び１０２に連結された最下位の羽根９も、最上位の羽根９と最上位の羽根９に下方で隣接する羽根９との間の前縁リンク部材７１と後縁リンク部材７３との折り畳みの解除と最上位の羽根９に下方で隣接する羽根９と最下位の羽根９との間の複数の羽根９の下降を伴って上下方向Ｖにおいて下降され、以下、玉チェーン１３３の他方の方向の更なる手動走行で、上方から下方に向かっての前縁リンク部材７１と後縁リンク部材７３との折り畳みの次々の解除を伴っての羽根９の下降で下降される羽根９の枚数（個数）が減少する一方、ノーバックチエーン９１及び９４の他端８２及び８５の夫々は、縦枠３の中空部２０及び縦枠２の中空部２０の夫々において上昇され、この上昇で他端８２及び８５並びに他端８２及び８５に続くノーバックチエーン９１及び９４に取付けられている重錘列９３及び９６の夫々の重錘９７も縦枠３の中空部２０及び縦枠２の中空部２０の夫々において上昇されて上枠４の中空部４０に移動され上枠４の中空部４０に引き戻されて下方の案内壁部４６及び底壁部４３で支持され、縦枠３の中空部２０及び縦枠２の中空部２０の夫々に垂れ下がって位置する重錘９７の個数が減少し、中空部２０での重錘９７の個数の減少に伴ってノーバックチエーン９１及び９４の一端８０及び８３には、減少した重錘９７の重量に応じた方向（上方向）Ｖ２をもった減少する反力Ｆが生じ、反力Ｆの減少と共にスプロケットホイール１３４の更なる回転で最下位の羽根９を除く複数の羽根９の全体が下降されることにより、図１、図３、図６及び図８に示すように複数の羽根９の全体で開口部８が閉鎖される。
【００３５】
而して、ブラインド装置１においては、スプロケットホイール１３４の回転に基づく手動操作力による最下位の羽根９の開口部８での下降では、縦枠２及び３の中空部２０の夫々において長尺体１２及び１３の部位の重量に基づいて、具体的には、ノーバックチエーン９１及び９４の減少する部位の重量と個数が減少する重錘９７の重量との合計重量に基づく減少する反力Ｆがノーバックチエーン９１及び９４の一端８０及び８３に対して反力発生機構１１で発生される結果、ブラインド装置１によれば、開口部８の開放から閉鎖における玉チェーン１３３への手動操作力を、下降させる羽根９の枚数（個数）の減少に相俟って、一定にでき、従って、ブラインド装置１によれば、反力発生機構１１で発生される減少する反力Ｆによって開口部８の開放から閉鎖における操作者による手動操作のし難さを解消できる。
【００３６】
更に、上記のブラインド装置１では、玉チェーン１３３の走行に対する手動操作に代えて、手動にて最上位の羽根９を直接持上げ又は引下げることにより、開口部８の開放又は閉鎖を軽く行い得、斯かる観点からも、開口部８の開閉の操作者による手動操作のし難さを解消できる。
【００３７】
更に、ブラインド装置１においては、図１、図３、図６及び図８に示す開口部８の全体のすだれ状の閉鎖、即ち、複数の羽根９の夫々の間に隙間を生じさせた開口部８の全体の閉鎖において又は図１、図３、図６及び図８に示す開口部８の閉鎖状態と図９及び図１０に示す開口部８の開放状態との間の開口部８の部分的なすだれ状の閉鎖において、停止板１５０を一対の鍔部１４２の下方の鍔部１４２に接触させるまで操作ノブ１４７を上昇させて操作棒１４３を介して同じく係合部材１４５を上昇させ、この上昇でスリット１４４において係合部材１４５に係合した丸棒１４６を介して最上位の羽根９の羽根本体５４を軸部材５８を中心として方向Ｒに回転させると共にこの回転に連れて前縁リンク部材７１及び後縁リンク部材７３を介して最上位の羽根９よりも下位の羽根９も軸部材５８を中心として方向Ｒに回転させることにより、図１１に示すように、複数の羽根９の全体を傾動させて、傾動させた複数の羽根９の全体で開口部８を完全に閉鎖させることができ、この完全な閉鎖状態を板ばね１５２の円弧突起１５１間の一つの凹所への弾性的な係合で維持することができ、そして、複数の羽根９の傾動状態の変更は、操作ノブ１４７を昇降させて、板ばね１５２の円弧突起１５１間の他の凹所への弾性的な係合で操作ノブ１４７の昇降位置を維持することにより行うことができ、更に図１１に示す複数の羽根９の傾動状態を解除して、図１、図３、図６及び図８に示す開口部８の閉鎖状態に戻す場合には、停止板１４９を一対の鍔部１４２の上方の鍔部１４２に接触させるまで操作ノブ１４７を下降させて操作棒１４３を介して同じく係合部材１４５を下降させ、この下降でスリット１４４において係合部材１４５に係合した丸棒１４６を介して最上位の羽根９の羽根本体５４を軸部材５８を中心として方向Ｒに回転させると共にこの回転に連れて前縁リンク部材７１及び後縁リンク部材７３を介して最上位の羽根９よりも下位の羽根９も軸部材５８を中心として方向Ｒに回転させればよい。
【００３８】
以上のブラインド装置１では、開口部８における複数の羽根９のうちの上下方向Ｖにおいて最下位の羽根９を先行して上昇させて開口部８を開口する一方、当該最下位の羽根９を先行して下降させて開口部８を閉鎖するようになっているが、例えば、特開２０１１−１３２８０６号公報に記載のように、開口部８の開口状態では、複数の羽根９を開口部８の下方に互いに重ね合わせて配置し、開口部８の閉鎖に際しては、開口部８における互いに重ね合わされた複数の羽根９のうちの上下方向Ｖにおいて最上位の羽根９を先行して上昇させて、最上位の羽根９の上昇によりリンク機構１０を介して次々に連れて残る下方の羽根９を上昇させて開口部８を閉鎖する一方、開口部８の開口に際しては、当該最上位の羽根９を先行して下降させて、最上位の羽根９の下降によりリンク機構１０を介して次々に連れて残る下方の羽根９を下降させて開口部８を開口するようになっているブラインド装置であってもよい。
【００３９】
また、以上のブラインド装置１では、重錘９７の夫々の重量を同一としたが、例えば、他端８２及び８５から一端８０及び８３に向かって重錘９７の夫々の重量を徐々に大きくしてもよく、また、他端８２及び８５からの重錘列９３及び９６の長さを縦枠２及び３の高さ程度としたが、他端８２及び８５から一端８０及び８３までノーバックチエーン９１及び９４に重錘９７が設けられ重錘列９３及び９６の長さとしてもよく、更には、重錘９７を設けることなしに、ノーバックチエーン９１及び９４の個々のチエーン素子自体を重錘としてもよい。
【００４０】
更に、ブラインド装置１における走行機構１４は、スプロケットホイール１３４を手動操作可能な玉チェーン１３３で回転させるようになっているが、これに代えて又はこれと共に電動モータでスプロケットホイール１３４を回転させるようになっていてもよい。
【００４１】
加えて、ブラインド装置１における連結機構は、板状の前縁リンク部材７１及び後縁リンク部材７３を具備したリンク機構１０からなっているが、斯かる連結機構は、板状の前縁リンク部材７１及び後縁リンク部材７３に代えて、羽根９を相互に接近離反自在に連結する紐又はワイヤを具備して構成してもよい。
【符号の説明】
【００４２】
１  ブラインド装置
２、３  縦枠
４  上枠
７  枠体
８  開口部
９  羽根
１０  リンク機構
１１  反力発生機構
【図１】
0006402608.tif 000002
【図２】
0006402608.tif 000003
【図３】
0006402608.tif 000004
【図４】
0006402608.tif 000005
【図５】
0006402608.tif 000006
【図６】
0006402608.tif 000007
【図７】
0006402608.tif 000008
【図８】
0006402608.tif 000009
【図９】
0006402608.tif 000010
【図１０】
0006402608.tif 000011
【図１１】
0006402608.tif 000012